(57)【要約】  ＤＣＤサーバで端末からコンテンツ使用情報を収集する方法及びシステムとそのための記録媒体を開示する。コンテンツ使用情報収集方法は、使用追跡報告メッセージを端末のＤＣＤクライアントからＤＣＤサーバへ転送するステップと、ＤＣＤサーバで使用追跡報告メッセージを受信するステップと、を含む。使用追跡報告メッセージは、該当セッションを識別するための第１情報、トランザクション識別子を含んだ第２情報、該当アプリケーションを識別するための第３情報、及びコンテンツ使用情報を含んだ第４情報を含む。好ましくも、ＤＣＤサーバはコンテンツ使用情報を収集して選好度の高いコンテンツをユーザに提供する。ＤＣＤサーバがコンテンツ使用情報を収集してユーザに不要なコンテンツを転送しないという事実はネットワーク帯域幅の浪費を回避させて、端末、ＣＰ、及びＤＣＤサーバのコンテンツ転送効率を改善してくれる。
2010522367.tif 000002
【特許請求の範囲】
【請求項１】
ＤＣＤサーバで端末からコンテンツ使用情報を収集する方法であって、
該当セッションを識別するための第１情報、トランザクション識別子を含んだ第２情報、該当アプリケーションを識別するための第３情報、及びコンテンツ使用情報を含んだ第４情報を含む使用追跡報告メッセージを端末のＤＣＤクライアントからＤＣＤサーバへ転送するステップと、
ＤＣＤサーバで使用追跡報告メッセージを受信するステップと、
を含むことを特徴とするコンテンツ使用情報収集方法。
【請求項２】
第４情報は、該当コンテンツを識別するためのコンテンツ−ＩＤ情報、該当チャネルを識別するためのチャネル−ＩＤ情報、コンテンツ使用時間と関連したコンテンツ使用時間情報、及びコンテンツ使用追跡と関連したコンテンツ使用詳細情報のうちの１つ以上を含むことを特徴とする請求項１に記載のコンテンツ使用情報収集方法。
【請求項３】
コンテンツ使用時間情報は、コンテンツが最初にアクセスされた時期に関するタイムスタンプ情報を含むことを特徴とする請求項２に記載のコンテンツ使用情報収集方法。
【請求項４】
コンテンツ使用詳細情報は、コンテンツがアクセスされた回数に関する使用計数情報を含むことを特徴とする請求項２に記載のコンテンツ使用情報収集方法。
【請求項５】
ＤＣＤサーバから端末のＤＣＤクライアントへ使用追跡報告要請メッセージを転送するステップと、
ＤＣＤクライアントで使用追跡報告要請メッセージを受信するステップと、
を更に含むことを特徴とする請求項１に記載のコンテンツ使用情報収集方法。
【請求項６】
使用追跡報告要請メッセージは、該当セッションを識別するためのセッション−ＩＤ情報、トランザクション−ＩＤ情報を含んだ情報、及び該当アプリケーションを識別するためのアプリケーション−ＩＤ情報のうちの１つ以上を含むことを特徴とする請求項５に記載のコンテンツ使用情報収集方法。
【請求項７】
ＤＣＤサーバで端末からコンテンツ使用情報を収集するシステムであって、
該当セッションを識別するための第１情報、トランザクション識別子を含んだ第２情報、該当アプリケーションを識別するための第３情報、及びコンテンツ使用情報を含んだ第４情報を含む使用追跡報告メッセージを転送するＤＣＤクライアントを含んだ端末と、
使用追跡報告メッセージを受信するＤＣＤサーバと、
を含むことを特徴とするコンテンツ使用情報収集システム。
【請求項８】
第４情報は、該当コンテンツを識別するためのコンテンツ−ＩＤ情報、該当チャネルを識別するためのチャネル−ＩＤ情報、コンテンツ使用時間と関連したコンテンツ使用時間情報、及びコンテンツ使用追跡と関連したコンテンツ使用詳細情報のうちの１つ以上を含むことを特徴とする請求項７に記載のコンテンツ使用情報収集システム。
【請求項９】
コンテンツ使用時間情報は、コンテンツが最初にアクセスされた時期に関するタイムスタンプ情報を含むことを特徴とする請求項８に記載のコンテンツ使用情報収集システム。
【請求項１０】
コンテンツ使用詳細情報は、コンテンツがアクセスされた回数に関する使用計数情報を含むことを特徴とする請求項８に記載のコンテンツ使用情報収集システム。
【請求項１１】
ＤＣＤサーバは、使用追跡報告要請メッセージを端末のＤＣＤクライアントへ転送することを特徴とする請求項７に記載のコンテンツ使用情報収集システム。
【請求項１２】
端末のＤＣＤクライアントは、使用追跡報告要請メッセージを受信し、受信された使用追跡報告要請メッセージを基盤にして使用追跡報告メッセージをＤＣＤサーバへ転送することを特徴とする請求項１１に記載のコンテンツ使用情報収集システム。
【請求項１３】
使用追跡報告要請メッセージは、該当セッションを識別するためのセッション−ＩＤ情報、トランザクション−ＩＤ情報を含んだ情報、及び該当アプリケーションを識別するためのアプリケーション−ＩＤ情報のうちの１つ以上を含むことを特徴とする請求項１１に記載のコンテンツ使用情報収集システム。
【請求項１４】
ＤＣＤサーバでコンテンツ使用情報を収集するように端末がコンテンツ使用情報を収集する方法であって、
端末のＤＣＤクライアントが該当セッションを識別するための第１情報、トランザクション識別子を含んだ第２情報、該当アプリケーションを識別するための第３情報、及びコンテンツ使用情報を含んだ第４情報を含む使用追跡報告メッセージを生成するステップと、
端末のＤＣＤクライアントが使用追跡報告メッセージをＤＣＤサーバへ転送するステップと、
を含むことを特徴とするコンテンツ使用情報収集方法。
【請求項１５】
第４情報は、該当コンテンツを識別するためのコンテンツ−ＩＤ情報、該当チャネルを識別するためのチャネル−ＩＤ情報、コンテンツ使用時間と関連したコンテンツ使用時間情報、及びコンテンツ使用追跡と関連したコンテンツ使用詳細情報のうちの１つ以上を含むことを特徴とする請求項１４に記載のコンテンツ使用情報収集方法。
【請求項１６】
コンテンツ使用時間情報は、コンテンツが最初にアクセスされた時期に関するタイムスタンプ情報を含むことを特徴とする請求項１５に記載のコンテンツ使用情報収集方法。
【請求項１７】
コンテンツ使用詳細情報は、コンテンツがアクセスされた回数に関する使用計数情報を含むことを特徴とする請求項１５に記載のコンテンツ使用情報収集方法。
【請求項１８】
ＤＣＤクライアントでＤＣＤサーバから転送された使用追跡報告要請メッセージを受信するステップを更に含み、かつ、
端末のＤＣＤクライアントは受信された使用追跡報告要請メッセージを基盤にして使用追跡報告メッセージをＤＣＤサーバへ転送することを特徴とする請求項１４に記載のコンテンツ使用情報収集方法。
【請求項１９】
使用追跡報告要請メッセージは、該当セッションを識別するためのセッション−ＩＤ情報、トランザクション−ＩＤ情報を含んだ情報、及び該当アプリケーションを識別するためのアプリケーション−ＩＤ情報のうちの１つ以上を含むことを特徴とする請求項１８に記載のコンテンツ使用情報収集方法。
【請求項２０】
コンテンツ使用情報収集機能を具現するためのプログラムを有するコンピュータ読取可能記録媒体であって、
該当セッションを識別するための第１情報、トランザクション識別子を含んだ第２情報、該当アプリケーションを識別するための第３情報、及びコンテンツ使用情報を含んだ第４情報を含む使用追跡報告メッセージを端末のＤＣＤクライアントからＤＣＤサーバへ転送する機能と、
ＤＣＤサーバで使用追跡報告メッセージを受信する機能と、
を含むことを特徴とするコンピュータ読取可能記録媒体。
【請求項２１】
第４情報は、該当コンテンツを識別するためのコンテンツ−ＩＤ情報、該当チャネルを識別するためのチャネル−ＩＤ情報、コンテンツ使用時間と関連したコンテンツ使用時間情報、及びコンテンツ使用追跡と関連したコンテンツ使用詳細情報のうちの１つ以上を含むことを特徴とする請求項２０に記載のコンピュータ読取可能記録媒体。
【請求項２２】
コンテンツ使用時間情報は、コンテンツが最初にアクセスされた時期に関するタイムスタンプ情報を含むことを特徴とする請求項２１に記載のコンピュータ読取可能記録媒体。
【請求項２３】
コンテンツ使用詳細情報は、コンテンツがアクセスされた回数に関する使用計数情報を含むことを特徴とする請求項２１に記載のコンピュータ読取可能記録媒体。
【請求項２４】
ＤＣＤサーバから端末のＤＣＤクライアントへ使用追跡報告要請メッセージを転送する機能と、
ＤＣＤクライアントで使用追跡報告要請メッセージを受信する機能と、
を更に含むことを特徴とする請求項２０に記載のコンピュータ読取可能記録媒体。
【請求項２５】
使用追跡報告要請メッセージは、該当セッションを識別するためのセッション−ＩＤ情報、トランザクション−ＩＤ情報を含んだ情報、及び該当アプリケーションを識別するためのアプリケーション−ＩＤ情報のうちの１つ以上を含むことを特徴とする請求項２４に記載のコンピュータ読取可能記録媒体。
【発明の詳細な説明】
【技術分野】
【０００１】
本発明は、コンテンツ使用情報を収集する方法及びシステムとコンテンツ使用情報収集用記録媒体に関し、より詳しくは、ダイナミックコンテンツ転送（Dynamic Content Delivery；ＤＣＤ）サーバがユーザ端末内のＤＣＤクライアントからコンテンツ使用情報を収集して選好度の高いコンテンツをユーザに提供することができ、ユーザに不要なコンテンツの転送が排除されてネットワーク帯域幅の浪費を避けて、端末、コンテンツ提供者、及びＤＣＤサーバのコンテンツ転送効率を改善するコンテンツ使用情報収集方法及びシステムとコンテンツ使用情報収集用記録媒体に関する。
【背景技術】
【０００２】
最近、ネットワークインフラ設備が拡大されるにつれて、益々多くの数のコンテンツ提供者がユーザが希望するコンテンツを製作及び格納している。ユーザはそのようなコンテンツ提供者が運営するサイトを訪問して希望するコンテンツを受けることができる。
【０００３】
コンテンツの効率的な転送はインターネット上で製作及び修正された情報をリアルタイムに転送する方式であって、ウェブシンジケーション（web syndication）を必要とする。ウェブシンジケーションは、例えば標準に提案及び採択されているＲＳＳ（Really Simple Syndication）及びＡＴＯＭを含む。ＲＳＳ及びＡＴＯＭはコンテンツの配給を可能にし、コンテンツはＲＳＳリーダー（RSS reader）のようなプログラムにより、一層効率的に収集できる。
【０００４】
しかしながら、資源が比較的限定されている移動環境では、ＲＳＳ／ＡＴＯＭにより配給されたコンテンツへのアクセスがＰＣ環境でのようになされることができない。そのような問題点を解決するために、移動端末のために収集されたコンテンツを最適に転送する方式が要請されたのであり、その代表的な例のうちの１つがダイナミックコンテンツ転送（ＤＣＤ；Dynamic Content Delivery）方式であって、ＯＭＡ（Open Mobile Alliance）によりその標準化が進行中である。
【０００５】
ＤＣＤは移動端末ユーザにそれらの選好度を反映する最も効率的な方式により希望するコンテンツを提供しようとしている。そのような目的のためのコンテンツ転送方式は、ＤＣＤ−１インターフェースを採用したプル方式（pull scheme）とＤＣＤ−２インターフェースを採用したプッシュ方式（push scheme）とを含む。既存の移動サービスによれば、ユーザの移動端末は無線インターネット上でサイトにアクセスし、多数の深さ（depth）を検索して希望するコンテンツを探さなければならない。それとは対照的に、ＤＣＤはサイトを訪問及び検索してコンテンツを探すことなしに、ユーザの移動端末へコンテンツを転送してユーザがそれらの選好度を最大限に反映している希望するコンテンツの提供を受けるようにすることを目標としている。
【０００６】
ＤＣＤ技術は、クライアントサーバモデルを基盤としている。特に、コンテンツを転送するように構成されたＤＣＤサーバは端末内でコンテンツを受信するクライアントとして動作するＤＣＤクライアントと連動する。ＤＣＤ技術は、ＤＣＤサーバとＤＣＤクライアントとの間で交換されるメッセージを定義し、コンテンツとメッセージの交換のためのプロトコルを指定する。コンテンツをＤＣＤクライアントへ転送するために、ＤＣＤサーバはコンテンツを格納しているＣＰ（Content Provider；コンテンツ提供者）から該当コンテンツを受けなければならない。
【０００７】
しかしながら、従来のＤＣＤ技術はＤＣＤサーバとＣＰがコンテンツ使用情報、即ちユーザが使用したコンテンツの量と種類を収集できないという問題点がある。それはＤＣＤサーバとＣＰが選好度の高いコンテンツをユーザに提供することを困難にする。
【０００８】
また、ＤＣＤサーバとＣＰがコンテンツ使用情報を収集できないという事実は、ユーザが不要なコンテンツの提供を受けるという問題点を発生させる。
【０００９】
言い換えると、ＤＣＤサーバとＣＰとはコンテンツ使用情報を収集できないので、不要なコンテンツを提供する。それはネットワーク帯域幅を浪費させ、端末、ＣＰ、及びＤＣＤサーバのコンテンツ転送効率を低下させる。
【発明の概要】
【発明が解決しようとする課題】
【００１０】
本発明は前述した問題点を考慮してなされたものであって、その目的は、ＤＣＤサーバがコンテンツ使用情報を収集して選好度の高いコンテンツをユーザに提供できるようにする方法、システム、及び記録媒体を提供することにある。
【００１１】
また、本発明の他の目的は、ＤＣＤサーバがコンテンツ使用情報を収集してユーザに不要なコンテンツを転送しなくて、ネットワーク帯域幅の浪費を避けることによって、端末、ＣＰ、及びＤＣＤサーバのコンテンツ転送効率が改善できるようにする方法、システム、及び記録媒体を提供することにある。
【課題を解決するための手段】
【００１２】
本発明の第１様態によれば、ＤＣＤサーバで端末からコンテンツ使用情報を収集する方法であって、該当セッションを識別するための第１情報、トランザクション（transaction）識別子を含んだ第２情報、該当アプリケーションを識別するための第３情報、及びコンテンツ使用情報を含んだ第４情報を含む使用追跡報告メッセージを端末のＤＣＤクライアントからＤＣＤサーバへ転送するステップと、ＤＣＤサーバから使用追跡報告メッセージを受信するステップと、を含むコンテンツ使用情報収集方法が提供される。
【００１３】
上記の方法は、ＤＣＤサーバから端末のＤＣＤクライアントへ使用追跡報告要請メッセージを転送するステップと、ＤＣＤクライアントで使用追跡報告要請メッセージを受信するステップと、を更に含むことができる。
【００１４】
本発明の第２様態によれば、ＤＣＤサーバで端末からコンテンツ使用情報を収集するシステムであって、該当セッションを識別するための第１情報、トランザクション（transaction）識別子を含んだ第２情報、該当アプリケーションを識別するための第３情報、及びコンテンツ使用情報を含んだ第４情報を含む使用追跡報告メッセージを転送するＤＣＤクライアントを有する端末と、使用追跡報告メッセージを受信するＤＣＤサーバと、を含むコンテンツ使用情報収集システムが提供される。
【００１５】
ＤＣＤサーバは、使用追跡報告要請メッセージを端末のＤＣＤクライアントへ転送することができる。端末のＤＣＤクライアントは、使用追跡報告要請メッセージを受信し、受信された使用追跡報告要請メッセージを基盤にして使用追跡報告メッセージをＤＣＤサーバへ転送することができる。
【００１６】
本発明の第３様態によれば、ＤＣＤサーバでコンテンツ使用情報を収集するように端末がコンテンツ使用情報を収集する方法であって、端末のＤＣＤクライアントが該当セッションを識別するための第１情報、トランザクション（transaction）識別子を含んだ第２情報、該当アプリケーションを識別するための第３情報、及びコンテンツ使用情報を含んだ第４情報を含む使用追跡報告メッセージを生成するステップと、端末のＤＣＤクライアントが使用追跡報告メッセージを転送するステップと、を含むコンテンツ使用情報収集方法が提供される。
【００１７】
上記の方法は、ＤＣＤクライアントでＤＣＤサーバから転送された使用追跡報告要請メッセージを受信するステップを更に含むことができ、端末のＤＣＤクライアントは受信された使用追跡報告要請メッセージを基盤にして使用追跡報告メッセージをＤＣＤサーバへ転送することができる。
【００１８】
本発明の第４様態によれば、コンテンツ使用情報収集機能を具現するためのプログラムを有するコンピュータ読取可能記録媒体であって、該当セッションを識別するための第１情報、トランザクション（transaction）識別子を含んだ第２情報、該当アプリケーションを識別するための第３情報、及びコンテンツ使用情報を含んだ第４情報を含む使用追跡報告メッセージを端末のＤＣＤクライアントからＤＣＤサーバへ転送する機能と、ＤＣＤサーバで使用追跡報告メッセージを受信する機能と、を含むコンピュータ読取可能記録媒体が提供される。
【００１９】
上記コンピュータ読取可能記録媒体は、ＤＣＤサーバから端末のＤＣＤクライアントへ使用追跡報告要請メッセージを転送する機能と、ＤＣＤクライアントで使用追跡報告要請メッセージを受信する機能と、を更に含むことができる。
【００２０】
本発明の第１乃至第４様態に従う上記コンテンツ使用情報収集方法、コンテンツ使用情報収集システム、及びコンテンツ使用情報収集用記録媒体と関連して、第４情報は、該当コンテンツを識別するためのコンテンツ−ＩＤ情報、該当チャネルを識別するためのチャネル−ＩＤ情報、コンテンツ使用時間と関連したコンテンツ使用時間情報、及びコンテンツ使用追跡と関連したコンテンツ使用詳細情報のうちの１つ以上を含むことができる。コンテンツ使用時間情報は、コンテンツが最初にアクセスされた時期に関するタイムスタンプ（timestamp）情報を含むことができる。コンテンツ使用詳細情報は、コンテンツがアクセスされた回数に関する使用計数（usage-count）情報を含むことができる。
【００２１】
本発明の第１乃至第４様態に従う上記コンテンツ使用情報収集方法、コンテンツ使用情報収集システム、及びコンテンツ使用情報収集用記録媒体と関連して、使用追跡報告要請メッセージは、該当セッションを識別するためのセッション−ＩＤ情報、トランザクション−ＩＤ情報を含んだ情報、及び該当アプリケーションを識別するためのアプリケーション−ＩＤ情報のうちの１つ以上を含むことができる。
【図面の簡単な説明】
【００２２】
添付図面と関連して理解する場合、以後の詳細な説明から本発明の上記及びその他の目的、特徴、及び利点がより明らかになる。
【００２３】
【図１】本発明の実施形態に係るコンテンツ使用情報収集方法を示すフローチャートである。
【図２】本発明の実施形態に係る使用追跡報告通知メッセージを示す図である。
【図３ａ】本発明の実施形態に係る使用追跡報告メッセージを示す図である。
【図３ｂ】本発明の実施形態に係る使用追跡報告メッセージ内の使用追跡情報フィールドを示す図である。
【図３ｃ】本発明の実施形態に係る使用追跡情報内のチャネル使用情報フィールドを示す図である。
【図３ｄ】本発明の実施形態に係るチャネル使用情報内のコンテンツ使用情報フィールドを示す図である。
【図４】本発明の実施形態に係る使用追跡報告応答メッセージを示す図である。
【図５】コンテンツ使用情報を収集するように構成された本発明の実施形態に係るＤＣＤサーバの構成を示す図である。
【発明を実施するための形態】
【００２４】
以下、本発明の例示的な実施形態を添付図面を参照しつつ説明する。以後の説明及び添付図面において、同一または類似な構成要素には同一な図面符号を使用するので、同一または類似な構成要素を反復的に説明しない。また、本発明の要旨を曖昧にすることを避けるために、本明細書に含まれた公知の機能及び構成に関する説明を省略する。
【実施例】
【００２５】
図１は、本発明の実施形態に係るコンテンツ使用情報収集方法を示すフローチャートである。
【００２６】
ユーザ端末が使用したコンテンツに関するコンテンツ使用情報をＤＣＤサーバが収集する方法を図１を参照して説明する前に、コンテンツを端末へ転送し、端末がコンテンツを表現（消費または読取）する過程を先に簡略に説明する。
【００２７】
コンテンツを端末へ転送し、端末がコンテンツを表現（消費または読取）する過程は次の通りである：コンテンツはＣＰからＤＣＤサーバを通じて端末内のＤＣＤクライアントへ転送される。ＤＣＤクライアントは最終的にコンテンツを端末に予め設けられたアプリケーションへ転送して、そのアプリケーションがコンテンツを表現（読取）するようになる。コンテンツは特定のチャネルに含まれることができる。
【００２８】
そのように、ＤＣＤサーバからコンテンツを受信するユーザ端末は、ＣＰに格納されているコンテンツをＤＣＤサーバから受信するＤＣＤクライアント及びＤＣＤクライアントが受信したコンテンツを表現するように設けられたアプリケーションを含む。
【００２９】
本発明に従ってコンテンツ使用情報を収集するように構成されたＤＣＤサーバ２０は、ＣＰからコンテンツを受信し、受信されたコンテンツを端末内のＤＣＤクライアント１０へ転送し、端末が使用したコンテンツに関する情報を収集する。
【００３０】
本発明に従ってコンテンツ使用情報をＤＣＤサーバ２０へ転送及び報告するように構成されたＤＣＤクライアント１０は、ＤＣＤサーバ２０からコンテンツを受信するクライアントとして動作し、端末内に存在する。ＤＣＤクライアント１０は端末の内部に設けられたアプリケーションへコンテンツを転送してコンテンツを表現し、端末に予め設けられたアプリケーションにより表現されたコンテンツに関するコンテンツ使用情報をＤＣＤサーバ２０へ転送する機能を含む。
【００３１】
図１を参照すると、ユーザ端末が使用したコンテンツに関するコンテンツ使用情報をＤＣＤサーバが収集する例示的な方法は、ＤＣＤサーバ２０が使用追跡報告要請メッセージを端末内のＤＣＤクライアント１０へ転送する使用追跡報告要請ステップ（Ｓ１００）、ＤＣＤサーバ２０がＤＣＤクライアント１０から使用追跡報告メッセージを受信するコンテンツ使用情報収集ステップ（Ｓ１０２）、及びＤＣＤサーバ２０が使用追跡報告応答メッセージをＤＣＤクライアント１０へ転送するコンテンツ使用情報収集終了ステップ（Ｓ１０４）を含む。
【００３２】
ここで、上記コンテンツ使用情報収集方法をより詳細に説明する。
【００３３】
コンテンツ使用情報収集通知ステップ（Ｓ１００）では、コンテンツ使用情報を収集するために、ＤＣＤサーバ２０がコンテンツ使用情報を収集するということを端末に通知する。本ステップで、ＤＣＤサーバ２０は使用追跡報告要請メッセージを端末内のＤＣＤクライアント１０へ転送して、ＤＣＤサーバ２０はユーザが使用したコンテンツに関するコンテンツ使用情報を収集するということを通知する。
【００３４】
ＤＣＤクライアント１０は、転送された使用追跡報告要請メッセージを受信した後、そのメッセージに包含できるアプリケーション−ＩＤを読み取り、アプリケーション−ＩＤに該当するアプリケーションにより表現（読取または使用）されたコンテンツに関するチャネル使用情報、コンテンツ使用情報などを抽出する。次に、ＤＣＤクライアント１０は、上記コンテンツ使用情報収集ステップＳ１０２で使われる使用追跡報告メッセージを生成して、そのメッセージをＤＣＤサーバ２０へ転送する。
【００３５】
使用追跡報告要請メッセージは、ＤＣＤサーバの管理者により設定されるとか、ＤＣＤサーバ内のコンテンツ使用情報収集関連プログラムで設定されたサイクルまたはイベント周期でＤＣＤサーバ２０からＤＣＤクライアント１０へ転送できる。使用追跡報告要請メッセージに関しては、図２を参照してより詳細に後述する。
【００３６】
コンテンツ使用情報収集ステップ（Ｓ１０２）では、ＤＣＤサーバ２０がＤＣＤクライアント１０から使用追跡報告メッセージを受信して、端末が使用したコンテンツに関するコンテンツ使用情報を収集する。
【００３７】
具体的に、コンテンツ使用情報収集ステップ（Ｓ１０２）で、ＤＣＤクライアント１０は以前ステップ（Ｓ１００）で受信された使用追跡報告要請メッセージに含まれたアプリケーション−ＩＤを読み取って、そのアプリケーション−ＩＤに該当するアプリケーションにより表現（読取または使用）されたコンテンツに関するチャネル使用情報、コンテンツ使用情報などを抽出する。次に、ＤＣＤクライアント１０は使用追跡報告メッセージを生成して、そのメッセージをＤＣＤサーバ２０へ転送し、すると、ＤＣＤサーバ２０がそのメッセージを受信して実際にコンテンツ使用情報を収集する。チャネル使用情報、コンテンツ使用情報などを含む使用追跡報告メッセージに関しては、図３ａ、図３ｂ、図３ｃ、及び図３ｄを参照してより詳細に後述する。
【００３８】
コンテンツ使用情報収集終了ステップ（Ｓ１０４）では、ＤＣＤサーバ２０が以前のコンテンツ使用情報収集ステップ（Ｓ１０２）で生成された使用追跡報告メッセージに応答して使用追跡報告応答メッセージをＤＣＤクライアント１０へ転送して、端末からのコンテンツ使用情報収集を完了する。
【００３９】
具体的に、コンテンツ使用情報収集終了ステップ（Ｓ１０４）で、ＤＣＤサーバ２０はコンテンツ使用情報の収集に成功したか否かに関する結果情報を使用追跡報告応答メッセージに追加してそのメッセージを転送する。ＤＣＤサーバ２０が以前ステップ（Ｓ１０２）でＤＣＤクライアント１０から受信された使用追跡報告メッセージからコンテンツ使用情報を成功的に収集したならば、成功的な収集を指示する特定の値が結果情報に設定される。収集に失敗したならば、収集失敗または収集失敗の理由に該当する値が結果情報に設定される。使用追跡報告応答メッセージに関しては、図４を参照してより詳細に後述する。
【００４０】
要約すると、ＤＣＤサーバ２０は使用追跡報告要請ステップＳ１００を通じてコンテンツ使用情報を収集するということをＤＣＤクライアント１０に通知し、コンテンツ使用情報収集ステップ（Ｓ１０２）を通じてＤＣＤクライアント１０から端末が使用したコンテンツに関するコンテンツ使用情報を収集する。最後に、ＤＣＤサーバ２０はコンテンツ使用情報収集終了ステップ（Ｓ１０４）を通じて収集結果をＤＣＤクライアント１０へ転送する。
【００４１】
図２は、本発明の実施形態に係る使用追跡報告要請メッセージを示している。
【００４２】
図２に図示された使用追跡報告要請メッセージは、図１を参照して説明されたコンテンツ使用情報収集要請ステップ（Ｓ１００）で、ＤＣＤサーバ２０からＤＣＤクライアント１０へ転送されてＤＣＤサーバ２０がコンテンツ使用情報を収集するということを端末に通知するメッセージである。
【００４３】
図２を参照すると、使用追跡報告要請メッセージ２００はメッセージタイプを識別するための基本タイプ（primitive type）−ＩＤ２１０に関する情報、メッセージトランザクションの識別子として使われるトランザクション−ＩＤ２２０に関する情報、該当メッセージトランザクションが起こるセッションの識別子として使われるセッション−ＩＤ２３０に関する情報、及び端末が使用するコンテンツを表現するアプリケーションの識別子として使われるアプリケーション−ＩＤ２４０に関する情報のうちの１つ以上を含むことができる。
【００４４】
ＤＣＤクライアント１０は、使用追跡報告要請メッセージ２００を受信した後、使用追跡報告要請メッセージ２００に含まれたアプリケーション−ＩＤ２４０情報を読取ってアプリケーション−ＩＤに該当するアプリケーションにより表現（読取または使用）されたコンテンツに関するチャネル使用情報、コンテンツ使用情報などを抽出する。次に、ＤＣＤクライアント１０は使用追跡報告メッセージを生成して、そのメッセージをＤＣＤサーバ２０へ転送する。
【００４５】
使用追跡報告要請メッセージ２００内の基本タイプ−ＩＤ２１０は、メッセージタイプを定義することに使われる。例えば、使用追跡報告要請メッセージ２００に該当する固有ＩＤ値を割り当てて、そのメッセージを他のメッセージと区別することができる。
【００４６】
使用追跡報告要請メッセージ２００は、ＤＣＤサーバの管理者により設定されるとかＤＣＤサーバ内のコンテンツ使用情報収集関連プログラムに設定されたサイクルまたはイベント周期でＤＣＤサーバからＤＣＤクライアントへ転送できる。
【００４７】
図３ａは、本発明の実施形態に係る使用追跡報告メッセージを示している。
【００４８】
図３ａに図示された使用追跡報告メッセージ３００は、図１を参照して説明されたコンテンツ使用情報収集ステップ（Ｓ１０２）で、ＤＣＤサーバがＤＣＤクライアントから受信し、ＤＣＤクライアントが使用追跡情報をＤＣＤサーバに報告することに使用するメッセージである。
【００４９】
使用追跡報告メッセージ３００は、メッセージタイプを識別するための基本タイプ−ＩＤ３１０に関する情報、メッセージトランザクションの識別子として使われるトランザクション−ＩＤ３２０に関する情報、該当メッセージトランザクションが起こるセッションの識別子として使われるセッション−ＩＤ３３０に関する情報、及び端末が実際に使用したコンテンツに関する情報を含んだ使用追跡情報３４０を含む。
【００５０】
使用追跡報告メッセージ３００内の基本タイプ−ＩＤ３１０は、メッセージタイプを定義することに使われる。例えば、使用追跡報告メッセージ３００に該当する固有ＩＤ値を割り当てて、そのメッセージを他のメッセージと区別することができる。
【００５１】
使用追跡報告メッセージ３００内の使用追跡情報３４０は、ＤＣＤクライアントがＤＣＤサーバに報告する実際のコンテンツ使用に関する情報を含み、アプリケーション−ＩＤ情報及び使われたコンテンツを含むチャネルの使用に関する情報を含むことができる。使用追跡情報３４０に関しては、図３ｃを参照してより詳細に後述する。
【００５２】
図３ｂは、本発明の実施形態に係る使用追跡報告メッセージ内の使用追跡情報フィールドを示している。
【００５３】
図３ｂは、図３ａを参照して説明された使用追跡報告メッセージ３００内の使用追跡情報３４０フィールドの一例を示すものである。使用追跡情報３４０は、ＤＣＤクライアントがＤＣＤサーバに報告する実際のコンテンツ使用に関する情報を含むことができる。
【００５４】
図３ｂを参照すると、使用追跡報告メッセージ３００内の使用追跡情報３４０は、端末が使用するコンテンツを表現するアプリケーションの識別子として使われるアプリケーション−ＩＤ３４１に関する情報、及びアプリケーションにより表現されたコンテンツを含むチャネルの使用に関する情報を含んだチャネル使用情報３４２を含むことができる。
【００５５】
アプリケーション−ＩＤ３４１情報は、図１を参照して説明された使用追跡報告要請ステップ（Ｓ１００）で、ＤＣＤサーバが転送する使用追跡報告要請メッセージに含まれたアプリケーション−ＩＤと関連したものである。本情報は、アプリケーション−ＩＤ３４１に該当するアプリケーションにより表現（使用）されたコンテンツに関するコンテンツ使用情報を収集することに使われる。コンテンツは特定のチャネルに含まれることができ、１つのチャネルは一篇以上のコンテンツを含むことができる。アプリケーションは１つ以上のチャネルが含むコンテンツを表現することができる。
【００５６】
したがって、特定のアプリケーション−ＩＤ３４１により表現されたコンテンツに関するコンテンツ使用情報を収集するということは、例えばアプリケーション−ＩＤ、チャネル使用情報、及びコンテンツ使用情報を収集することに該当する。
【００５７】
チャネル使用情報３４２は、アプリケーション−ＩＤ３４１に該当するアプリケーションにより表現されたコンテンツを含むチャネルのＩＤをリスト化したチャネル−ＩＤリスト情報を含むことができる。
【００５８】
図３ｃは、本発明の実施形態に係る使用追跡情報内のチャネル使用情報フィールドを示している。
【００５９】
図３ｃに図示されたチャネル使用情報３４２フィールドは、使用追跡報告メッセージ３００内の使用追跡情報３４０に入っている。
【００６０】
図３ｃを参照すると、チャネル使用情報３４２フィールドは、使用追跡報告要請メッセージ２００に含まれたアプリケーション−ＩＤに該当するアプリケーションにより表現されたコンテンツを含むチャネルのＩＤに関する情報を含んだチャネルＩＤ３４２１情報、及びチャネル−ＩＤフィールド上の特定のチャネル−ＩＤに該当するチャネルが含むコンテンツの使用に関する情報を含んだコンテンツ使用情報３４２２を含むことができる。
【００６１】
コンテンツ使用情報３４２２は、特定のチャネル−ＩＤに含まれたコンテンツのＩＤリストに関する情報を含むことができる。
【００６２】
図３ｄは、本発明の実施形態に係るチャネル使用情報内のコンテンツ使用情報フィールドを示している。
【００６３】
図３ｄに図示されたコンテンツ使用情報３４２２フィールドは、使用追跡報告メッセージ３００内の使用追跡情報３４０内のチャネル使用情報３４２に入っている。
【００６４】
図３ｄを参照すると、コンテンツ使用情報３４２２は、特定のチャネル−ＩＤに該当するチャネルが含むコンテンツに関するコンテンツ−ＩＤ情報３４２２１、コンテンツ−ＩＤに該当するコンテンツの使用時間に関するコンテンツ使用時間情報３４２２２、及びコンテンツ−ＩＤに該当するコンテンツの具体的な使用に関するコンテンツ使用詳細情報３４２２３を含むことができる。コンテンツ使用時間情報３４２２２は、初期コンテンツ使用時間情報、最終コンテンツ使用時間情報、及び使用持続時間情報のうちの１つ以上を含むことができる。初期コンテンツ使用時間情報は、該当コンテンツに最初にアクセスした時間を指示することができる。即ち、初期コンテンツ使用時間情報は、コンテンツが最初にアクセスされた時期に関するタイムスタンプ情報でありうる。
【００６５】
コンテンツ使用詳細情報３４２２３は、コンテンツを格納しているＣＰとコンテンツを表現する端末内のアプリケーションとの間に予め定義され、コンテンツ使用の回数に関する情報を含むことができる。コンテンツ使用の回数に関する情報は、該当コンテンツにアクセスした回数を指示することができる。即ち、コンテンツ使用詳細情報はコンテンツがアクセスされた回数に関する使用計数情報を含むことができる。
【００６６】
図４は、本発明の実施形態に係る使用追跡報告応答メッセージを示している。
【００６７】
図４を参照すると、使用追跡報告応答メッセージ４００は、ＤＣＤサーバがＤＣＤクライアントから受信した使用追跡報告メッセージ３００に対する応答である。
【００６８】
図４を参照すると、使用追跡報告応答メッセージ４００は、メッセージタイプを識別するための基本タイプ−ＩＤ４１０に関する情報、メッセージトランザクションの識別子として使われるトランザクション−ＩＤ４２０に関する情報、該当メッセージトランザクションが起こるセッションの識別子として使われるセッション−ＩＤ４３０に関する情報、及び使用追跡報告メッセージの結果に関する情報を含んだ結果４４０情報を含むことができる。
【００６９】
使用追跡報告応答メッセージ４００内の基本タイプ−ＩＤ４１０は、メッセージタイプを定義することに使われる。例えば、使用追跡報告応答メッセージ４００に該当する固有のＩＤ値を割り当てて、そのメッセージを他のメッセージと区別することができる。
【００７０】
結果４４０情報は、ＤＣＤクライアント１０から受信された使用追跡報告メッセージ３００を通じてコンテンツ使用情報を収集した結果に関する情報を含む。ＤＣＤサーバがＤＣＤクライアントからの使用追跡報告メッセージ３００を通じてコンテンツ使用情報の収集に成功した場合は、結果４４０情報が成功的な収集に該当する固有の値に設定される。収集に失敗した場合は、結果４４０情報が収集失敗または収集失敗の理由に該当する固有の値に設定される。例えば、成功的な収集の場合は、結果４４０情報フィールドが０番に設定された使用追跡報告応答メッセージ４００がＤＣＤクライアントへ転送される。文法的な誤りによる収集失敗の場合は、結果４４０情報フィールドが１番に設定された使用追跡報告応答メッセージ４００がＤＣＤクライアントへ転送される。また、使用追跡報告メッセージ３００にコンテンツがないことによる収集失敗の場合は、結果４４０情報フィールドが２番に設定された使用追跡報告応答メッセージ４００がＤＣＤクライアントへ転送される。
【００７１】
図５は、コンテンツ使用情報を収集するように構成された本発明の実施形態に係るＤＣＤサーバの内部構成を示している。
【００７２】
特に、図５は端末内のＤＣＤクライアントと連動してコンテンツ使用情報を収集するように構成されたＤＣＤサーバの内部構成を示すものである。
【００７３】
図５を参照すると、ＤＣＤサーバ５００は、コンテンツ送受信部５１０、コンテンツ格納部５２０、メッセージ生成部５３０、メッセージ送受信部５４０、コンテンツ使用情報格納部５５０、及びコンテンツ使用情報収集管理部５６０を含む。
【００７４】
コンテンツ送受信部５１０は、コンテンツを格納しているＣＰからコンテンツを受信して、そのコンテンツを端末内のＤＣＤクライアントへ転送するように構成される。
【００７５】
コンテンツ格納部５２０は、コンテンツ送受信部が受信したコンテンツを格納するように構成される。
【００７６】
メッセージ生成部５３０は、ＤＣＤクライアントからコンテンツ使用情報を収集することに必要とする使用追跡通知メッセージ及び使用追跡報告応答メッセージを生成するように構成される。
【００７７】
メッセージ送受信部５４０は、使用追跡通知メッセージをＤＣＤクライアントへ転送してコンテンツ使用情報を収集し、ＤＣＤクライアントから使用追跡報告メッセージを受信して使用追跡報告を受けて、使用追跡報告メッセージに応答して使用追跡報告応答メッセージを転送するように構成される。
【００７８】
コンテンツ使用情報格納部５５０は、ＤＣＤクライアントからコンテンツ使用情報を収集してその情報を格納するように構成される。
【００７９】
コンテンツ使用情報収集管理部５６０は、端末が使用したコンテンツに関するコンテンツ使用情報をＤＣＤクライアントから収集することを管理し、収集を始めるための使用追跡通知メッセージを生成することをメッセージ生成部に指示するように構成される。
【００８０】
上記のコンテンツ使用情報格納部に格納されたコンテンツ使用情報は、コンテンツの提供のためにＣＰの要請に従ってメッセージ送受信部により転送できる。
【００８１】
本発明の幾つかの例示的な実施形態を例示を目的として説明したが、当業者であれば添付の請求範囲に開示されたような本発明の範囲及び思想から外れることなく、多様な修正、付加、及び置換が可能であることを理解するはずである。
【産業上の利用可能性】
【００８２】
本発明は、ＤＣＤサーバがコンテンツ使用情報を収集して選好度の高いコンテンツをユーザに提供するという利点がある。
【００８３】
ＤＣＤサーバがコンテンツ使用情報を収集してユーザに不要なコンテンツを転送しないという事実は、ネットワーク帯域幅の浪費を回避させて、端末、ＣＰ、及びＤＣＤサーバのコンテンツ転送効率を改善してくれる。
【図１】
2010522367.tif 000003
【図２】
2010522367.tif 000004
【図３ａ】
2010522367.tif 000005
【図３ｂ】
2010522367.tif 000006
【図３ｃ】
2010522367.tif 000007
【図３ｄ】
2010522367.tif 000008
【図４】
2010522367.tif 000009
【図５】
2010522367.tif 000010
【国際調査報告】
2010522367.tif 000011
2010522367.tif 000012